(57)【要約】【課題】鏡板を取り付けるための取り付け用ねじ類をフレームの背面側に隠すことにより意匠性を向上させたエレベータかご室の鏡取付装置を得る。【解決手段】鏡板を包囲する口字状フレームを構成する両側部フレーム、上側部フレーム及び下側部フレームと、両側面部フレームの両端部と上側部フレーム及び下側部フレームの両端部との間に跨って配置されフレーム同士を連結するフレーム連結具と、かご室側壁に設けたフレーム連結ねじ貫通穴を通して両側部フレーム、上側部フレーム及び下側部フレームの各両端部と各フレーム連結具の両端部とを締結するフレーム連結ねじと、両側部フレーム、上側部フレーム及び下側部フレームの背面側に設けられかご室側壁に設けられたフレーム固定穴に挿入されたフレーム固定用養殖ねじと、かご室側壁の反対側からフレーム固定用養殖ねじに固定されたフレーム固定用ナットとを備える。【選択図】  図２
2004359380.tif 000002
【特許請求の範囲】
【請求項１】
かご室の側壁に周囲を口字状のフレームにより囲まれた鏡板を取り付けたエレベータかご室の鏡取付装置において、両端部が斜めに切断され、この切断面を互いに突き合わせ接合されて前記鏡板の四端辺を包囲する口字状フレームを構成する左右両側部フレーム、上側部フレーム及び下側部フレームと、この突き合わせ接合された左右両側面部フレームの両端部と上側部フレーム及び下側部フレームの両端部との間に跨ってそれぞれ配置され、互いに隣接するフレーム同士を連結するフレーム連結具と、前記かご室側壁に設けたフレーム連結ねじ貫通穴を通して前記左右両側部フレーム、上側部フレーム及び下側部フレームの各両端部と前記各フレーム連結具の両端部とを締結するフレーム連結ねじと、前記左右両側部フレーム、上側部フレーム及び下側部フレームの背面側にそれぞれ設けられ、前記かご室側壁に設けられた複数のフレーム固定穴に挿入されたフレーム固定用養殖ねじと、前記かご室側壁の反対側から前記フレーム固定用養殖ねじに締め付け固定されたフレーム固定用ナットとを備えたことを特徴とするエレベータかご室の鏡取付装置。
【請求項２】
左右両側部フレーム、上側部フレーム及び下側部フレームは断面コ字状に形成されており、このコ字状部内でかつ鏡板の背面側にフレーム連結具を配置したことを特徴とする請求項１記載のエレベータかご室の鏡取付装置。
【請求項３】
左右両端部フレーム、上側部フレーム及び下側部フレームの両端部は斜め４５度に切断され、この切断面を互いに突き合わせたことを特徴とする請求項１又は請求項２記載のエレベータかご室の鏡取付装置。
【請求項４】
フレーム連結ねじ貫通穴は、フレームのかご側壁への取付時にフレーム連結ねじの頭部が干渉しないようにかご室側壁に設けたことを特徴とする請求項１〜請求項３のいずれか記載のエレベータかご室の鏡取付装置。
【発明の詳細な説明】
【０００１】
【発明の属する技術分野】
この発明はエレベータのかご室の鏡取付装置に関するものである。
【０００２】
【従来の技術】
従来のエレベータのかご室の鏡取付装置においては、フレームに保持されてかご室壁面に装着される鏡は、この鏡の裏面に対向して配置されかつ一端がかご室壁面にそれぞれ締結された第１金具及び第２金具によりフレームを介して支持され、さらにフレームの端面に挿通されて第２金具にねじ込まれた締結子によって保持されている（例えば、特許文献１参照）。
【０００３】
【特許文献１】
実開昭５８−１３４３７４号公報（第１図〜第４図、実用新案登録請求の範囲）
【０００４】
【発明が解決しようとする課題】
上記従来のエレベータのかご室の鏡取付装置にあっては、締結子が表面に突出しているため、見栄えが悪く、締結子の突出部や段差に物を引っ掛けたりすることがあった。また、露出した締結子は一般の利用者の手に触れることができるので、いたずら等で締結子が外されて鏡とフレームがぐらついたり、場合によっては落下することがあった。また、フレームとかご室壁面との間には第１金具、第２金具を介在するための隙間が発生し、物が挟まれたりすることがあった。
【０００５】
この発明は、上述のような課題を解決するためになされたもので、その目的は、鏡板を取り付けるための取り付け用ねじ類をフレームの背面側に隠すことにより、意匠性を向上させるとともに、ねじに引っ掛けたり、ねじが外されたりすることのないエレベータのかご室の鏡取付装置を提供するものである。
【０００６】
【課題を解決するための手段】
この発明に係るエレベータのかご室の鏡取付装置は、かご室の側壁に周囲を口字状のフレームにより囲まれた鏡板を取り付けたものにおいて、両端部が斜めに切断され、この切断面を互いに突き合わせ接合されて鏡板の四端辺を包囲する口字状フレームを構成する左右両側部フレーム、上側部フレーム及び下側部フレームと、この突き合わせ接合された左右両側面部フレームの両端部と上側部フレーム及び下側部フレームの両端部との間に跨ってそれぞれ配置され、互いに隣接するフレーム同士を連結するフレーム連結具と、かご室側壁に設けたフレーム連結ねじ貫通穴を通して左右両側部フレーム、上側部フレーム及び下側部フレームの各両端部と各フレーム連結具の両端部とを締結するフレーム連結ねじと、左右両側部フレーム、上側部フレーム及び下側部フレームの背面側にそれぞれ設けられ、かご室側壁に設けられた複数のフレーム固定穴に挿入されたフレーム固定用養殖ねじと、かご室側壁の反対側からフレーム固定用養殖ねじに締め付け固定されたフレーム固定用ナットとを備えたものである。
【０００７】
【発明の実施の形態】
実施の形態１．
図１はこの発明の実施の形態１におけるエレベータのかご室を縦断して示す透視図、図２はこの発明の実施の形態１におけるエレベータかご室の鏡取付装置の構造を示す拡大正面図、図３は同じく拡大側面図、図４は同じく拡大平面図、図５は図２のＩ部の拡大図、図６は図５のＶＩ―ＶＩ線に沿った断面図、図７は図２のＶＩＩ―ＶＩＩ線に沿った断面図である。
図において、エレベータのかご室は、かご室側壁１と、かご室上面の天井板２と、かご室の床面となる床板３とから構成されており、かご室側壁１の一側前面には周囲を口字状のフレーム４で囲まれた鏡板５が取り付けられている。口字状のフレーム４は断面コ字状に形成された左右の両側部フレーム４ａと、同じく断面コ字状に形成された上側部フレーム４ｂ及び下側部フレーム４ｃとから構成され、これら各フレーム４ａ、４ｂ、４ｃにより鏡板５の左右端、上下端の四端辺が包囲されている。左右両側部フレーム４ａの両端部と、上側部フレーム４ｂ及び下側部フレーム４ｃの両端部は斜め４５度に切断され、この切断面を互いに突き合わせ接合されている。この突き合わせ接合された左右両側部フレーム４ａの両端部と、上側部フレーム４ｂ及び下側部フレーム４ｃの両端部との間に跨ってフレーム連結金具６が配置されている。このフレーム連結金具６は口字状フレーム４の四隅の隅角部におけるコ字状部内でかつ鏡板５の背面側に配置されている。上記左右両側部フレーム４ａの両端部と、上側部フレーム４ｂ及び下側部フレーム４ｃの両端部とは、上記フレーム連結金具６の両端部とともに上記かご側壁１側方向からフレーム連結ねじ７によって締め付け固定することにより互いに連結され、全体として鏡板５の周囲を口字状のフレーム４で囲んだ構造体が構成される。かご室側壁１にはフレーム連結ねじ７の頭部が貫通するフレーム連結ねじ貫通穴８が設けられている。左右両側部フレーム４ａの背面の上下４箇所にはフレーム固定用養殖ねじ９ａが設けられている。また、上側部フレーム４ｂ及び下側部フレーム４ｃの背面のほぼ中央の１箇所にはフレーム固定用養殖ねじ９ｂ及び９ｃがそれぞれ設けられている。上記フレーム固定用養殖ねじ９ａ、９ｂ、９ｃはかご室側壁１に設けられた複数のフレーム固定穴１０に挿入され、かご室側壁１の反対側からフレーム固定用ナット１１により締め付け固定されることにより、鏡板５がフレーム４を介してかご室側壁１に固定される。
なお、かご室側壁１にフレーム４をフレーム固定用養殖ねじ９ａ、９ｂ、９ｃとフレーム固定用ナット１１により締め付けていく際、かご室側壁１とフレーム連結ねじ７の頭部が互いに干渉しないようにかご室側壁１にフレーム連結ねじ貫通穴８が設けらる。また、鏡板５の背面周縁部には保護用緩衝材１２が設けられる。
【０００８】
この発明の実施の形態１によれば、フレーム連結ねじ７、フレーム固定用養殖ねじ９ａ、９ｂ、９ｃ、フレーム固定用ナット１１をフレーム４の背面側に隠すことができるので、一般の利用者に見えることがなく意匠性が向上する。また一般の利用者がねじに触れることがないので、手や物をねじに引っ掛けることもなく、いたずら等でねじが外されて鏡とフレームがぐらついたり、落下することがない。また、かご室側壁１にフレーム４をフレーム固定用養殖ねじ９ａ、９ｂ、９ｃとフレーム固定用ナット１１により締め付けていく際、かご室側壁１とフレーム連結ねじ７の頭部が互いに干渉しないようにかご室側壁１にフレーム連結ねじ貫通穴８が設けられているので、かご室側壁１とフレーム４を完全に密着固定させることができ、一般利用者の手や物を挟み込むような隙間が発生しない。
【０００９】
【発明の効果】
この発明は以上説明したように、両端部が斜めに切断され、この切断面を互いに突き合わせ接合されて鏡板の四端辺を包囲する口字状フレームを構成する左右両側部フレーム、上側部フレーム及び下側部フレームと、この突き合わせ接合された左右両側面部フレームの両端部と上側部フレーム及び下側部フレームの両端部との間に跨ってそれぞれ配置され、互いに隣接するフレーム同士を連結するフレーム連結具と、かご室側壁に設けたフレーム連結ねじ貫通穴を通して左右両側部フレーム、上側部フレーム及び下側部フレームの各両端部と各フレーム連結具の両端部とを締結するフレーム連結ねじと、左右両側部フレーム、上側部フレーム及び下側部フレームの背面側にそれぞれ設けられ、かご室側壁に設けられた複数のフレーム固定穴に挿入されたフレーム固定用養殖ねじと、かご室側壁の反対側からフレーム固定用養殖ねじに締め付け固定されたフレーム固定用ナットとを備えたので、鏡板を取り付けるための取り付け用ねじ類をフレームの背面側に隠すことができ、一般の利用者に見えることがなく意匠性が向上する。また一般の利用者がねじに触れることがないので、手や物をねじに引っ掛けることもなく、いたずら等でねじが外されて鏡とフレームがぐらついたり、落下することがない。
【図面の簡単な説明】
【図１】この発明の実施の形態１におけるエレベータのかご室を縦断して示す透視図である。
【図２】この発明の実施の形態１におけるエレベータかご室の鏡取付装置の構造を示す拡大正面図である。
【図３】エレベータかご室の鏡取付装置の構造を示す拡大側面図である。
【図４】エレベータかご室の鏡取付装置の構造を示す拡大平面図である。
【図５】エレベータかご室の鏡取付装置の構造を示す図２のＩ部の拡大図である。
【図６】エレベータかご室の鏡取付装置の構造を示す図５のＶＩ―ＶＩ線に沿った断面図である。
【図７】エレベータかご室の鏡取付装置の構造を示す図２のＶＩＩ―ＶＩＩ線に沿った断面図である。
【符号の説明】
１  かご室側壁
２  天井板
３  床板
４  口字状のフレーム
４ａ  左右両側部フレーム
４ｂ、４ｃ  上側部フレーム及び下側部フレーム
５  鏡板
６  フレーム連結金具
７  フレーム連結ねじ
８  フレーム連結ねじ貫通穴
９ａ、９ｂ、９ｃ  フレーム固定用養殖ねじ
１０  フレーム固定穴
１１  フレーム固定用ナット
１２  保護用緩衝材
【図１】
2004359380.tif 000003
【図２】
2004359380.tif 000004
【図３】
2004359380.tif 000005
【図４】
2004359380.tif 000006
【図５】
2004359380.tif 000007
【図６】
2004359380.tif 000008
【図７】
2004359380.tif 000009